(57)【要約】【課題】  皮膚に対する粘着テープの押圧力を常に一定とすることができる角層剥離装置を提供する。【解決手段】  人体の皮膚に押圧操作して当該皮膚の角層を剥離するための角層剥離装置において、角層剥離装置本体１と、皮膚に粘着し且つその角層を剥離可能な粘着面Ｔａを有する粘着テープＴと、該粘着テープＴを保持して角層剥離装置本体１内に摺動自在に配設された摺動部材２と、粘着テープＴの粘着面Ｔａを角層剥離装置本体１から突出させる押圧位置と、当該角層剥離装置本体１内に没入させる待機位置との間で摺動部材２を摺動させ得る押圧手段４とを具備し、摺動部材２が押圧位置のとき突出状態とされた粘着テープＴの粘着面Ｔａが皮膚に押圧され、且つ、当該摺動部材２が待機位置となる過程で皮膚に粘着した粘着テープＴの粘着面Ｔａがその角層を剥離するよう構成されたものである。【選択図】図１
2006175155.tif 000002
【特許請求の範囲】
【請求項１】
人体の皮膚に押圧操作して当該皮膚の角層を剥離するための角層剥離装置において、
角層剥離装置本体と、
皮膚に粘着し且つその角層を剥離可能な粘着面を有する粘着テープと、
該粘着テープを保持して前記角層剥離装置本体内に摺動自在に配設された摺動部材と、
前記粘着テープの粘着面を前記角層剥離装置本体から突出させる押圧位置と、当該角層剥離装置本体内に没入させる待機位置との間で前記摺動部材を摺動させ得る押圧手段と、
を具備し、前記摺動部材が押圧位置のとき突出状態とされた前記粘着テープの粘着面が皮膚に押圧され、且つ、当該摺動部材が待機位置となる過程で皮膚に粘着した粘着テープの粘着面がその角層を剥離するよう構成されたことを特徴とする角層剥離装置。
【請求項２】
前記粘着テープは、前記摺動部材に着脱自在なカートリッジに保持されたことを特徴とする請求項１記載の角層剥離装置。
【請求項３】
前記摺動部材は、未使用状態の前記粘着テープを巻着した収容ローラと、該収容ローラから繰り出された粘着テープをその粘着面を前記押圧手段の押圧方向へ臨ませつつ巻き取り可能な押圧ローラとを有するとともに、当該摺動部材が押圧位置から待機位置に戻った際に前記押圧ローラを回転させて前記粘着テープを巻き取り、未使用の粘着面を前記押圧方向へ臨ませることを特徴とする請求項１又は請求項２記載の角層剥離装置。
【請求項４】
前記摺動部材の待機位置と押圧位置との間の摺動回数を計数するカウンタを具備したことを特徴とする請求項１〜請求項３の何れか１つに記載の角層剥離装置。
【発明の詳細な説明】
【技術分野】
【０００１】
本発明は、人体の皮膚に押圧操作して当該皮膚の角層を剥離するための角層剥離装置に関するものである。
【背景技術】
【０００２】
治療や美容などを目的として、粘着テープや接着剤等を用いて人体の皮膚の角層を剥離することが行われている。かかる角層剥離を行うための角層剥離装置として、従来、例えば特許文献１で開示されたものが挙げられる。この角層剥離装置は、操作者が把持し得る握り部と、該握り部から延設された延長部と、該延長部先端に形成されたローラとを具備しており、ローラに粘着テープが複数層に亘って巻回されている。
【０００３】
そして、操作者（治療又は理容行為者）が握り部を把持しつつローラを皮膚に強く押圧した後、離間することにより、粘着テープに角層が粘着するので、当該角層を皮膚から剥離することができる。然るに、角層を剥離した最上層の粘着テープは、ローラから取り外され、その下層の粘着テープにて再び剥離作業を行わせるよう構成されていた。
【特許文献１】特表２００３−５０６１５２号公報
【発明の開示】
【発明が解決しようとする課題】
【０００４】
しかしながら、上記従来の角層剥離装置においては、操作者によって粘着テープの皮膚に対する押圧力が変化してしまうため以下の如き問題があった。治療や理容を目的として粘着テープにて角層を剥離するには、一般に、粘着テープを皮膚に繰り返し押圧する必要があるが、押圧力が一定でないと、最適な押圧回数が定まらず、操作者の勘やこつに頼らざるを得ないという問題があった。
【０００５】
本発明は、このような事情に鑑みてなされたもので、皮膚に対する粘着テープの押圧力を常に一定とすることができる角層剥離装置を提供することにある。
【課題を解決するための手段】
【０００６】
請求項１記載の発明は、人体の皮膚に押圧操作して当該皮膚の角層を剥離するための角層剥離装置において、角層剥離装置本体と、皮膚に粘着し且つその角層を剥離可能な粘着面を有する粘着テープと、該粘着テープを保持して前記角層剥離装置本体内に摺動自在に配設された摺動部材と、前記粘着テープの粘着面を前記角層剥離装置本体から突出させる押圧位置と、当該角層剥離装置本体内に没入させる待機位置との間で前記摺動部材を摺動させ得る押圧手段とを具備し、前記摺動部材が押圧位置のとき突出状態とされた前記粘着テープの粘着面が皮膚に押圧され、且つ、当該摺動部材が待機位置となる過程で皮膚に粘着した粘着テープの粘着面がその角層を剥離するよう構成されたことを特徴とする。
【０００７】
請求項２記載の発明は、請求項１記載の角層剥離装置において、前記粘着テープは、前記摺動部材に着脱自在なカートリッジに保持されたことを特徴とする。
【０００８】
請求項３記載の発明は、請求項１又は請求項２記載の角層剥離装置において、前記摺動部材は、未使用状態の前記粘着テープを巻着した収容ローラと、該収容ローラから繰り出された粘着テープをその粘着面を前記押圧手段の押圧方向へ臨ませつつ巻き取り可能な押圧ローラとを有するとともに、当該摺動部材が押圧位置から待機位置に戻った際に前記押圧ローラを回転させて前記粘着テープを巻き取り、未使用の粘着面を前記押圧方向へ臨ませることを特徴とする。
【０００９】
請求項４記載の発明は、請求項１〜請求項３の何れか１つに記載の角層剥離装置において、前記摺動部材の待機位置と押圧位置との間の摺動回数を計数するカウンタを具備したことを特徴とする。
【発明の効果】
【００１０】
請求項１の発明によれば、粘着テープの粘着面を角層剥離装置本体から突出させる押圧位置と、当該角層剥離装置本体内に没入させる待機位置との間で摺動部材を摺動させ得る押圧手段を具備し、摺動部材が押圧位置のとき突出状態とされた粘着テープの粘着面が皮膚に押圧され、且つ、当該摺動部材が待機位置となる過程で皮膚に粘着した粘着テープの粘着面がその角層を剥離するので、皮膚に対する粘着テープの押圧力を常に一定とすることができる。
【００１１】
請求項２の発明によれば、粘着テープが摺動部材に着脱自在なカートリッジに保持されたので、カートリッジを交換することにより継続的に角層剥離作業を行わせることができるとともに、カートリッジを使い捨てとすることにより、他の人体に対する感染等を防止することができる。
【００１２】
請求項３の発明によれば、摺動部材が押圧位置から待機位置に戻った際に押圧ローラを回転させて粘着テープを巻き取り、未使用の粘着面を押圧方向へ臨ませるので、角層剥離を繰り返し行う際、自動的に未使用の粘着面が押圧方向へ臨むこととなり角層を剥離できるので、角層剥離時の作業性を向上することができる。
【００１３】
請求項４の発明によれば、カウンタにて摺動部材の待機位置と押圧位置との間の摺動回数を計数するので、押圧回数を誤ってしまうのを回避でき、より確実な角層剥離作業を行うことができる。
【発明を実施するための最良の形態】
【００１４】
以下、本発明の実施形態について図面を参照しながら具体的に説明する。
本実施形態に係る角層剥離装置は、ワクチン等を経皮輸送するにあたり表皮へ刺激を与えるべく皮膚の角層を剥離するためのもので、図１〜図４に示すように、角層剥離装置本体１と、摺動部材２と、カートリッジ３と、押圧手段４と、マイクロスイッチ５と、カウンタ６と、モータＭとから主に構成されている。
【００１５】
角層剥離装置本体１は、全体が箱状に形成され、正面側に切欠部１ａを有するとともに裏面側が蝶番ｔにより揺動して開閉自在な蓋部１ｂとされている。該角層剥離装置本体１内には、摺動部材２が同図中上下方向に摺動自在に保持されており、この摺動部材２の上面には棒状の押圧手段４の下端が接続されている。かかる押圧手段４は、その押圧操作により摺動部材２を下方に摺動させ得るもので、スプリングＳにより初期位置まで戻り得るよう構成されている。即ち、押圧手段４を押圧操作することにより、摺動部材２が下方に押されて下降し、押圧力を開放すると、スプリングＳにより押圧手段４が上昇して初期位置まで戻り、それに伴って摺動部材２も初期位置まで上昇するのである。
【００１６】
一方、摺動部材２は、その裏面（図２中右側の面）及び下面（同図中下側の面）が開放された形状とされており、蓋部１ｂを開けた状態（図３参照）においてカートリッジ３を収容可能とされている。カートリッジ３は、図４に示すように、未使用状態の粘着テープＴを巻着した収容ローラＲ１と、該収容ローラＲ１から繰り出された粘着テープＴをその粘着面Ｔａを下方（押圧手段４の押圧方向）へ臨ませつつ巻き取り可能な押圧ローラＲ２を有したものであり、角層剥離装置本体１に対して着脱自在とされている。
【００１７】
また、同図に示すように、収容ローラＲ１はカートリッジ３内に形成された段付円柱状部材から成り、当該カートリッジ３内で回転自在とされているとともに、押圧ローラＲ２は後述するモータＭ側から延びた軸Ｌ２を嵌合自在な軸Ｌ１を略中心に有し、断面正方形状に形成されたものである。即ち、収容ローラＲ１から繰り出された粘着テープＴの粘着面Ｔａが押圧ローラＲ２の下面（押圧方向に臨んだ面）に位置した状態で押圧手段４を押圧操作すると、摺動部材２と共にカートリッジ３（粘着テープＴを懸架した収容ローラＲ１及び押圧ローラＲ２も同様）も下降して角層剥離作業が行われるよう構成されているのである。
【００１８】
然るに、摺動部材２は、押圧手段４による押圧操作により、粘着テープＴの粘着面Ｔａを角層剥離装置本体１内に没入させる待機位置（図５参照）と、当該粘着面Ｔａを角層剥離装置本体１の下面から突出させる押圧位置（図６参照）との間を摺動することとなる。そして、摺動部材２が押圧位置のとき突出状態とされた粘着テープＴの粘着面Ｔａが角層剥離装置本体１の下方に位置させた人体の皮膚に押圧され、且つ、当該摺動部材２が待機位置となる過程で皮膚に粘着した粘着テープＴの粘着面Ｔａがその角層を剥離するようになっている。
【００１９】
マイクロスイッチ５は、角層剥離装置本体１内に配設されて摺動部材２が待機位置にあるか否かを検知するためのもので、当該待機位置にあるときオンするとともに、押圧手段４を押圧操作することにより摺動部材２が待機位置から押圧位置まで摺動すると、オフするよう構成されている。かかるマイクロスイッチ５による検知信号は、不図示の制御手段に送信され、該信号に基づきモータＭの駆動制御が行われる。
【００２０】
モータＭは、摺動部材２の正面側に固定され、当該摺動部材２と共に上下方向に移動し得るもので、摺動部材２が押圧位置から待機位置に戻ったことをマイクロスイッチ５が検知したことにより駆動されるものである。また、モータＭの出力軸ＭａにはギアＧ１が形成されているとともに、該ギアＧ１には軸Ｌ１の一端に形成されたギアＧ２が噛み合っており、当該軸Ｌ１の他端はカートリッジ３内の軸Ｌ２と嵌合し得る形状とされている。これにより、モータＭの回転力が出力軸Ｍａ、ギアＧ１及びギアＧ２を介して軸Ｌ１、Ｌ２に伝達し得るようになっており、当該軸Ｌ２の回転により押圧ローラＲ２が回転して粘着テープＴを巻き取るよう構成されている。
【００２１】
また、軸Ｌ１には、略等間隔で放射状に延びる４つの切欠を有した回転板７が固定されているとともに、かかる回転板７の切欠を検出するための回転角検知手段８が摺動部材２側に配設されている。回転角検知手段８は、例えば発光素子と受光素子とを備えたカプラから成り、発光素子から照射された光が回転板７の切欠を介して受光素子に到達したことを検出して、回転板７（即ち軸Ｌ１）の回転角度を検出し得るよう構成されている。
【００２２】
然るに、回転板７の切欠は、９０度毎に形成されているため、一の光の検知から次の検知に至った際には、軸Ｌ１が９０度回転したこととなる。これにより、モータＭの駆動による軸Ｌ１の回転角度を検出することができ、９０度回転した時点で当該モータＭを停止させれば、押圧ローラＲ２も９０度回転し、未使用の新たな粘着面Ｔａを下方（押圧方向）に臨ませることができる。
【００２３】
カウンタ６は、摺動部材２の待機位置と押圧位置との間の摺動回数を計数するためのもので、角層剥離装置本体１の上面等に配設されるとともに、例えばディジタル表示等により摺動回数を表示し、操作者に認識させ得るよう構成されている。尚、摺動部材２の摺動回数の計数は、マイクロスイッチ５の検知により行われてもよいし、別途の機構により行われてもよい。
【００２４】
ここで、摺動部材２には、図５に示すように、その側壁から側方に突出した凸条部２ａが形成されているとともに、角層剥離装置本体１の内面側壁には、当該凸条部２ａを上下方向に摺動させて案内する案内溝１ｃが形成されている。案内溝１ｃの下端には、凸条部２ａの更なる下降を規制するストッパ面１ｄが形成されており、図６に示すように、かかるストッパ面１ｄに凸条部２ａが当接することにより、摺動部材２が押圧位置で停止するよう構成されている。
【００２５】
即ち、摺動部材２は、待機位置から下降する過程において、その摺動動作が案内溝１ｃにて案内されるとともに、ストッパ面１ｄとの当接により押圧位置で停止するので、ストロークが常に一定とされ、押圧位置における人体の皮膚Ｈ（図６参照）に対する粘着テープＴ（粘着面Ｔａ）の押圧力を常に一定とすることができる。即ち、予め定められた待機位置と押圧位置との間で粘着テープＴを保持させた摺動部材２を摺動させるので、そのストロークが一定となり、上記効果を奏するのである。
【００２６】
次に、上記構成の角層剥離装置における動作について説明する。
まず、角層剥離装置本体１の下方に、皮膚を露出させた人体の腕や足を載置しておく。その状態で押圧手段４を押圧操作すると、摺動部材２と共にカートリッジ３が待機位置から押圧位置に至り、当該カートリッジ３の押圧ローラＲ２における粘着テープＴの粘着面Ｔａが人体の皮膚Ｈに押圧されて粘着する。
【００２７】
その状態から、操作手段４に対する押圧力を緩め（或いは操作手段４を上方へ引き上げ）、摺動部材２を押圧位置から待機位置まで戻すと、皮膚に粘着した粘着テープＴの粘着面Ｔａがその角層を剥離しつつ摺動部材２と共に上方へ離間する。これにより、１回の角層剥離作業が終了する。一方、摺動部材２が押圧位置から待機位置まで戻ると、マイクロスイッチ５がそれを検知し、モータＭが所定時間（回転角検知手段８が軸Ｌ１の９０度回転を検知するまでの間）駆動されるとともに、カウンタ６が計数して表示を１加算させる。
【００２８】
かかるモータＭの駆動により、押圧ローラＲ２の粘着テープＴが巻き取られるとともに収容ローラＲ１に巻着された未使用の粘着テープが当該押圧ローラＲ２に繰り出される。これにより、先に角層を剥離して粘着した粘着テープＴの部位に代わり、未使用の新たな粘着面Ｔａが押圧ローラＲ２の下方に位置することとなり、その未使用部が次回の角層剥離作業において皮膚に粘着することとなる。従って、角層剥離を繰り返し行う際、自動的に未使用の粘着面Ｔａが押圧方向へ臨むこととなり角層を剥離できるので、角層剥離時の作業性を向上することができる。
【００２９】
そして、カウンタ６による表示が所定回数に達するまで、繰り返し上記角層剥離作業を行って複数回に及ぶ一連の角層剥離作業が終了した後、蓋部１ａを開けてカートリッジ３を取り出す。そして、新たなカートリッジ３（勿論、新たな粘着テープＴを有したもの）が取り付けられ、次の人体（或いは異なった部位の皮膚）に対する一連の角層剥離作業が行われることとなる。
【００３０】
従って、粘着テープＴが摺動部材２に着脱自在なカートリッジ３に保持されているので、カートリッジ３を交換することにより継続的に角層剥離作業を行わせることができるとともに、カートリッジ３を使い捨てとすることにより、他の人体（或いは同一の人体における他の皮膚）に対する感染等を防止することができる。更に、カウンタ６にて摺動部材２の待機位置と押圧位置との間の摺動回数を計数するので、押圧回数を誤ってしまうのを回避でき、より確実な角層剥離作業を行うことができる。
【００３１】
以上、本実施形態について説明したが、本発明はこれに限定されるものではなく、例えばモータＭに代えて、使用済み部位を未使用の部位まで粘着テープＴを巻き取り得る他の駆動手段としてもよく、当該モータＭを廃し、粘着テープＴの巻き取りを手動にて行わせるものとしてもよい。また、本実施形態における押圧ローラは、断面が正方形とされているが、例えば正三角形、正六角形等とするとともに、当該形状に応じてモータＭによる回転角度を設定するよう構成してもよい。尚、マイクロスイッチ５に代えて、摺動部材２が押圧位置から待機位置に戻ったことを検知し得る他のセンサ（接触式又は非接触式含む）としてもよい。
【００３２】
更に、本実施形態においては、ワクチン等を経皮輸送することにより、感染症、癌又はアレルギー等の治療を行う免疫治療法として、キラーＴ細胞を誘導するための表皮ランゲルハンス細胞の活性化を目的とし、表皮へ刺激を与えるために粘着テープを用いて、皮膚の角層を剥離し、表皮ランゲルハンス細胞を利用してキラーＴ細胞を誘導することにより、感染症等に対する高い免疫効果を得るものに適用されているが、かかる治療に代えて他の治療の目的、或いは理容の目的（皮膚に塗布した化粧の状態等の観察を目的とするなど）のものに適用してもよい。
【産業上の利用可能性】
【００３３】
摺動部材が押圧位置のとき突出状態とされた粘着テープの粘着面が皮膚に押圧され、且つ、当該摺動部材が待機位置となる過程で皮膚に粘着した粘着テープの粘着面がその角層を剥離する角層剥離装置であれば、外観形状が異なるもの或いは他の機能が付加されたものにも適用することができる。
【図面の簡単な説明】
【００３４】
【図１】本発明の実施形態に係る角層剥離装置を示す正面図
【図２】図１におけるＩＩ−ＩＩ線断面図
【図３】同角層剥離装置を示す裏面図（カートリッジが取り外され、且つ、蓋部を開けた状態）
【図４】同角層剥離装置におけるカートリッジを示す正面図
【図５】同角層剥離装置における摺動部材が待機位置にある状態を示す模式図
【図６】同角層剥離装置における摺動部材が押圧位置にある状態を示す模式図
【符号の説明】
【００３５】
１    角層剥離装置本体
２    摺動部材
３    カートリッジ
４    押圧手段
５    マイクロスイッチ
６    カウンタ
７    回転板
８    回転角検知手段
Ｍ    モータ
Ｔ    粘着テープ
Ｔａ  粘着面
【図１】
2006175155.tif 000003
【図２】
2006175155.tif 000004
【図３】
2006175155.tif 000005
【図４】
2006175155.tif 000006
【図５】
2006175155.tif 000007
【図６】
2006175155.tif 000008